(57)【要約】【課題】使い勝手がよく、貴重品などの配送に対して高い安全性を確保でき、しかも、特殊な設備は必要なく、低コスト化が可能な封印シール付き伝票とその使用方法及び貴重品配送システムを提供する。【解決手段】封印シール付き伝票１０は、印字用基材１１とタック紙１６とが、擬似接着層２０によって剥離可能に接着された１ｐｔ方式の配送伝票であり、印字用基材１１は、配送物に貼付する配送伝票部１２と、配送伝票部１２とともに配送物に貼付し、剥離の有無が確認可能な封印シール１３と、配送物を受領した証となる受領確認証１４と、必要事項を印字するための印字欄１５とを備え、タック紙１６は、タック基材１７、粘着剤層１８及び剥離紙１９が順に積層された積層ラベルであり、配送伝票部１２と封印シール１３とに同一の識別情報２１を印字し、両者を配送物に貼付して、その配送物を配送する。【選択図】図１
2006051768.tif 000002
【特許請求の範囲】
【請求項１】
印字用基材と、
前記印字用基材の少なくとも一部に、擬似接着層及び／又は接着層を介して設けられた第１の基材と、
前記第１の基材に粘着剤層を介して剥離可能に設けられた第２の基材と、
前記印字用基材の一部を区画して分離可能に設けられた配送伝票部と、
前記印字用基材の一部を区画して分離可能に設けられた封印シール部と、
を備える封印シール付き伝票。
【請求項２】
請求項１に記載の封印シール付き伝票において、
前記封印シール部は、被着体に貼付した後には、剥離の有無が確認可能であること、
を特徴とする封印シール付き伝票。
【請求項３】
請求項２に記載の封印シール付き伝票において、
前記封印シール部は、前記第１の基材と少なくとも一部が剥離可能に接着していること、
を特徴とする封印シール付き伝票。
【請求項４】
請求項１から請求項３までのいずれか１項に記載の封印シール付き伝票において、
前記印字用基材の一部を区画して分離可能に設けられた受領確認部を備え、
その受領確認部の下側の前記第１の基材には、配送サービスに関する内容が表示されていること、
を特徴とする封印シール付き伝票。
【請求項５】
請求項１から請求項４までのいずれか１項に記載の封印シール付き伝票において、
前記第１の基材、前記粘着剤層及び前記第２の基材は、タック基材、粘着剤層及び剥離シートが順に積層されたタックシートであること、
を特徴とする封印シール付き伝票。
【請求項６】
請求項１から請求項５までのいずれか１項に記載の封印シール付き伝票を使用する封印シール付き伝票の使用方法において、
前記配送伝票部と前記封印シール部との両方に、少なくとも一部が同一又は関連性のある識別情報を形成すること、
を特徴とする封印シール付き伝票の使用方法。
【請求項７】
請求項７に記載の封印シール付き伝票の使用方法において、
前記配送伝票部と前記封印シール部との両方を配送物に貼付して、その配送物を配送すること、
を特徴とする封印シール付き伝票の使用方法。
【請求項８】
請求項１から請求項５までのいずれか１項に記載の封印シール付き伝票を使用し、請求項６又は請求項７に記載の封印シール付き伝票の使用方法を運用する貴重品配送システムにおいて、
配送元に設けられ、前記各識別情報を読み取る第１の読取部と、
前記第１の読取部が読み取った各識別情報を記憶する記憶部と、
配送先に設けられ、前記各識別情報を読み取る第２の読取部と、
前記記憶部が記憶している各識別情報と前記第２の読取部が読み取った各識別情報とを比較し、配送の前後で各識別情報が適正に整合しているか否かを確認する確認部と、
を備える貴重品配送システム。
【請求項９】
請求項８に記載の貴重品配送システムにおいて、
前記記憶部が記憶している各識別情報を検索する検索部を備えること、
を特徴とする貴重品配送システム。
【発明の詳細な説明】
【技術分野】
【０００１】
本発明は、貴重品を配送するのに好適な封印シール付き伝票とその使用方法及び貴重品配送システムに関するものである。
【背景技術】
【０００２】
特許文献１は、貴重品の集配を集配業者に委託する場合に、安全性を高めることができる貴重品集配方法を開示している。
【０００３】
しかし、特許文献１のものは、集配スケジュールを管理し、各当事者に貴重品の集配スケジュールを通知することによって、集配スケジュールが第三者に漏洩することを防止しているものであるが、貴重品の保護や、配送中の安全面に関しては、十分に対応がとられていない可能性があった。
【０００４】
また、特許文献１のものは、予約管理装置、集配計画作成装置、集配センタ装置、予約装置などといった様々な装置を導入しなくてはならないので、万人にとって使用しやすいものではないうえに、導入のコストがかかりすぎてしまう可能性もあった。
【特許文献１】特開２００２−０８７５２１号公報
【発明の開示】
【発明が解決しようとする課題】
【０００５】
本発明の課題は、使い勝手がよく、貴重品などの配送に対して高い安全性を確保でき、しかも、特殊な設備は必要なく、低コスト化が可能な封印シール付き伝票とその使用方法及び貴重品配送システムを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、印字用基材（１１）と、前記印字用基材（１１）の少なくとも一部に、擬似接着層（２０）及び／又は接着層を介して設けられた第１の基材（１７）と、前記第１の基材（１７）に粘着剤層（１８）を介して剥離可能に設けられた第２の基材（１９）と、前記印字用基材（１１）の一部を区画して分離可能に設けられた配送伝票部（１２）と、前記印字用基材（１１）の一部を区画して分離可能に設けられた封印シール部（１３）と、を備える封印シール付き伝票である。
請求項２の発明は、請求項１に記載の封印シール付き伝票において、前記封印シール部（１３）は、被着体に貼付した後には、剥離の有無が確認可能であること、を特徴とする封印シール付き伝票である。
請求項３の発明は、請求項２に記載の封印シール付き伝票において、前記封印シール部（１３）は、前記第１の基材（１７）と少なくとも一部が剥離可能に接着していること、を特徴とする封印シール付き伝票である。
請求項４の発明は、請求項１から請求項３までのいずれか１項に記載の封印シール付き伝票において、前記印字用基材（１１）の一部を区画して分離可能に設けられた受領確認部（１４）を備え、その受領確認部（１４）の下側の前記第１の基材（１７）には、配送サービスに関する内容が表示されていること、を特徴とする封印シール付き伝票である。
請求項５の発明は、請求項１から請求項４までのいずれか１項に記載の封印シール付き伝票において、前記第１の基材（１７）、前記粘着剤層（１８）及び前記第２の基材（１９）は、タック基材、粘着剤層及び剥離シートが順に積層されたタックシート（１６）であること、を特徴とする封印シール付き伝票である。
請求項６の発明は、請求項１から請求項５までのいずれか１項に記載の封印シール付き伝票を使用する封印シール付き伝票（１０）の使用方法において、前記配送伝票部（１２）と前記封印シール部（１３）との両方に、少なくとも一部が同一又は関連性のある識別情報（２１）を形成すること、を特徴とする封印シール付き伝票の使用方法である。
請求項７の発明は、請求項７に記載の封印シール付き伝票の使用方法において、前記配送伝票部（１２）と前記封印シール部（１３）との両方を配送物に貼付して、その配送物を配送すること、を特徴とする封印シール付き伝票の使用方法である。
請求項８の発明は、請求項１から請求項５までのいずれか１項に記載の封印シール付き伝票（１０）を使用し、請求項６又は請求項７に記載の封印シール付き伝票の使用方法を運用する貴重品配送システムにおいて、配送元に設けられ、前記各識別情報（２１）を読み取る第１の読取部（３０１）と、前記第１の読取部（３０１）が読み取った各識別情報（２１）を記憶する記憶部（５０１）と、配送先に設けられ、前記各識別情報（２１）を読み取る第２の読取部（４０１）と、前記記憶部（５０１）が記憶している各識別情報（２１）と前記第２の読取部（４０１）が読み取った各識別情報（２１）とを比較し、配送の前後で各識別情報（２１）が適正に整合しているか否かを確認する確認部（５０２）と、を備える貴重品配送システムである。
請求項９の発明は、請求項８に記載の貴重品配送システムにおいて、前記記憶部（５０１）が記憶している各識別情報（２１）を検索する検索部（５０３）を備えること、を特徴とする貴重品配送システムである。
【発明の効果】
【０００７】
本発明によれば、配送伝票部及び封印シール部が一体化しているので、両者を別々に用意する必要はなく、使い勝手がよくなり、利用者の手間も省くことができる。
【０００８】
また、封印シール部は、被着体に貼付した後には、剥離の有無が確認可能であるので、不正な開封や識別情報の改ざんなどを防止することができ、貴重品などの配送に好適である。
【０００９】
また、配送伝票部と封印シール部とに、少なくとも一部が同一又は関連性のある識別情報を形成することによって、両者を容易に紐付けすることができる。
【００１０】
さらにまた、相互に紐付けられている配送伝票部と封印シール部とを貼付して配送物を配送するので、配送中の安全性を確保することができ、配送後には、マッチング作業も容易に行うことができる。
【００１１】
一方、貴重品配送システムは、安全性の高い封印シール付き伝票を使用するので、最低限の設備投資で済み、特殊な設備は必要なく、低コスト化が可能である。
【発明を実施するための最良の形態】
【００１２】
本発明は、使い勝手がよく、貴重品などの配送に対して高い安全性を確保でき、しかも、特殊な設備は必要なく、低コスト化が可能な封印シール付き伝票とその使用方法及び貴重品配送システムを提供するという目的を、配送伝票部と封印シールとを一体化し、その両方に同一の識別情報を印字し、配送伝票部と封印シールとを配送物に貼付して、配送物を配送することにより実現する。
【実施例】
【００１３】
以下、図面等を参照して、本発明の実施例について、さらに詳しく説明する。
図１は、本発明による封印シール付き伝票の実施例を示す図である。
本実施例の封印シール付き伝票１０は、貴重品を配送するための１ｐｔ（パート）方式のＡ５サイズ程度の配送伝票であり、図１（Ｂ）に示すように、印字用基材１１と、最終枚目に配置されたタック紙（タックシート）１６とが、擬似接着層２０によって部分的に剥離可能に接着されている。
【００１４】
印字用基材１１は、ハーフカットｈｃによって、この印字用基材１１の一部を区画して分離可能に設けられた配送伝票部１２、封印シール（封印シール部）１３及び受領確認証（受領確認部）１４と、配送伝票部１２に設けられた印字欄１５とを備える。
【００１５】
配送伝票部１２は、貴重品が封入されている荷物などの配送物に貼付するものであり、配達票及び貼付票が上下に配置されている。
【００１６】
封印シール１３は、４つ設けられ、配送伝票部１２とともに、配送物に貼付するものであり、また、配送物（被着体）に貼付した後には、剥離の有無が確認可能なラベルである。
具体的には、図１（Ｄ）示すように、封印シール１３の中央部分は、後述するタック基材１７と剥離不可能に強接着され、両端部分は、剥離可能に接着されている。
これにより、封印シール１３全体を剥離しようとしても、中央部分は剥離しないので、無理やりに剥離すると、ラベルの一部が破壊され、剥離（開封）した痕跡が残るものである。
また、中央の強接着部分は、配送中に不用意に封印シール１３が剥離し、脱落してしまうことを防止している。
【００１７】
受領確認証１４は、依頼主に、配送物を受領した証として渡すものであり、印字欄１５は、必要事項を印字するための領域である。
【００１８】
タック紙１６は、図１（Ｂ）に示すように、タック基材（第１の基材）１７、粘着剤層１８及び剥離紙（第２の基材、剥離シート）１９が順に積層された積層ラベルである。
【００１９】
封印シール１３の下側のタック基材１７には、図１（Ｄ）に示すように、強接着部分とそれ以外の部分との境界線上に、ハーフカットｈｃを切り込むことが好ましく、また、受領確認証１４の下側のタック基材１７には、図１（Ｅ）に示すように、配送サービスに関する約款などの内容を印字することが好ましい。
このハーフカットｈｃを設けることによって、例えば、ハーフカットｈｃの位置と、袋や箱の開封位置とを近づけておけば、剥離可能部分を剥離することで、綺麗に開封することができ、この場合には、ラベルの破壊ではなく、剥離可能部分が開封された段階で、袋や箱が開封されたと判断する。
【００２０】
また、受領確認証１４とその下側のタック基材１７とは、左端部がライン状の糊によって綴じ合わされ、開封すると冊子状態となる。
【００２１】
図２は、本発明による貴重品配送システムの実施例を示す図である。
本実施例の貴重品配送システム１００は、依頼主端末２００と、発営業所端末３００と、着営業所端末４００と、サーバ５００と、ネットワーク６００などとを備える。
【００２２】
依頼主端末２００は、パーソナルコンピュータなどの端末であり、依頼主は、この端末で、貴重品の配送の申し込みを行う。
【００２３】
発営業所端末３００は、配送元の発営業所に設けられ、依頼主端末２００と同様の端末であり、後述する各識別情報を読み取る第１のリーダ（第１の読取部）３０１を備える。
【００２４】
着営業所端末４００は、配送先の着営業所に設けられ、依頼主端末２００や発営業所端末３００と同様の端末であり、配送されてきた配送物の各識別情報を読み取る第２のリーダ（第２の読取部）４０１を備える。
【００２５】
サーバ５００は、管理センタに設けられ、貴重品配送システム１００を管理するものであり、第１のリーダ３０１が読み取った各識別情報を記憶するデータベース（記憶部）５０１と、配送の前後での各識別情報の整合性を確認する確認部５０２と、データベース５０１が記憶している各識別情報を検索する検索部５０３とを備える。
【００２６】
ネットワーク６００は、インターネットなどの通信手段であり、各端末とサーバ５００とを接続している。
【００２７】
次に、図１の流れ図及び図２を参照しながら、本実施例による封印シール付き伝票１０の使用方法及び貴重品配送システム１００の運用方法を説明する。
（＃１）依頼主は、依頼主端末２００を用いて、管理センタのサーバ５００にアクセスし、配送に必要な項目を入力し、貴重品の配送の申し込みを行う。
（＃２）申し込みが成立すると、サーバ５００から発営業所端末３００に、自動的に連絡が入り、発営業所端末３００が依頼主端末２００に確認の連絡を行う。
【００２８】
（＃３）依頼主端末２００で入力された項目は、封印シール付き伝票１０に印字され、また、配送伝票部１２と封印シール１３との両方に、識別番号（例えば、１２−３４−５６）や識別記号（例えば、バーコード）などの同一の識別情報２１が印字される[図１（Ｃ）参照]。
（＃４）配送担当者が配送物を受け取りに行く、又は、依頼主が発営業所に配送物を持ち込む。
【００２９】
（＃５）必要事項が印字された配送伝票部１２と封印シール１３との両方を依頼主の前で剥離し、配送物に貼付する。封印シール１３は、配送物の開封予定位置などの要所に貼付することが好ましい。
（＃６）発営業所の第１のリーダ３０１で、配送伝票部１２の識別情報２１と封印シール１３の識別情報２１とを読み取り、この状態で配送物を配送（配達）し、着営業所の第２のリーダ４０１で配送されてきた配送物の各識別情報を読み取る。
ここで、確認部５０２は、データベース５０１が記憶している各識別情報と、第２のリーダ４０１が読み取った各識別情報とを比較し、配送の前後で各識別情報が適正に整合しているか否かを確認する。確認結果は、着営業所端末４００の表示画面などに表示するとよい。
【００３０】
（＃７）封印シール１３の上枚目を剥離して、封印シール１３の識別情報２１を破壊する。
（＃８）これで、配送は完了するが、不審な点（例えば、開封の痕跡ありなど）がある場合には、着営業所端末４００を用いて、管理センタのサーバ５００にアクセスし、検索の指示を行えば、検索部５０３が管理センタのデータベース５０１を検索し、配送前の識別情報を確認することができる。
【００３１】
このように、本実施例によれば、以下のような効果がある。
（１）配送伝票部１２及び封印シール１３が一体化しているので、両者を別々に用意する必要はなく、使い勝手がよくなり、利用者の手間も省くことができ、利便性が向上する。
（２）封印シール１３は、配送物に貼付した後には、剥離の有無が確認可能であるので、不正な開封や識別情報２１の改ざんなどを防止することができ、不正行為が介在した場合には、その事実が確認できる。
【００３２】
（３）配送伝票部１２と封印シール１３とに、同一の識別情報２１を形成することによって、両者を容易に紐付けすることができる。
（４）相互に紐付けられている配送伝票部１２と封印シール１３とを貼付して配送物を配送するので、配送中の安全性を確保することができ、配送後には、マッチング作業も容易に行うことができる。
【００３３】
（５）封印シール１３は、４つあるので、開封を予定している部分が複数箇所ある場合には、その複数箇所に貼付することができ、使い勝手がよい。
（６）依頼主に渡される受領確認証１４の下側に配送サービスに関する約款を印字しているので、貴重品の配送に関するサービスの見落としを防止でき、また、空きスペースも有効に活用できる。
【００３４】
（７）貴重品配送システム１００は、上述した封印シール付き伝票１０を使用するので、依頼主側では、端末のみ、営業所側では、端末とリーダなどといった最低限の設備投資で済み、特殊な設備は必要なく、低コスト化が可能である。
（８）識別情報をデータベース化し、その識別情報を検索する検索部５０３を備えるので、人為的な確認作業よりも迅速に確認が行える。
【００３５】
（変形例）
以上説明した実施例に限定されることなく、種々の変形や変更が可能であって、それらも本発明の均等の範囲内である。
例えば、封印シール１３は、剥離したときに、内部の切込みによって、その一部が破壊されるような切込みラベルであってもよい。
【００３６】
また、封印シール１３は、４つ設ける例で説明したが、製造コストを抑えるために、３つ以下でもよく、また、安全性を高めるために、５つ以上であってもよい。
【００３７】
さらに、配送伝票部１２や封印シール１３には、同一の識別情報２１を設ける例で説明したが、関連性のある識別情報を設けるようにしてもよい。このようにすれば、当事者にしか、その関係がわからないので、安全性がさらに高まる。
【図面の簡単な説明】
【００３８】
【図１】本発明による封印シール付き伝票の実施例を示す図である。
【図２】本発明による貴重品配送システムの実施例を示す図である。
【符号の説明】
【００３９】
１０  封印シール付き伝票
１１  印字用基材
１２  配送伝票部
１３  封印シール（封印シール部）
１４  受領確認証（受領確認部）
１５  印字欄
１６  タック紙（タックシート）
１７  タック基材（第１の基材）
１８  粘着剤層
１９  剥離紙（第２の基材、剥離シート）
２０  擬似接着層
２１  識別情報
１００  貴重品配送システム
２００  依頼主端末
３００  発営業所端末
３０１  第１のリーダ（第１の読取部）
４００  着営業所端末
４０１  第２のリーダ（第２の読取部）
５００  サーバ
５０１  データベース（記憶部）
５０２  確認部
５０３  検索部
６００  ネットワーク
ｈｃ  ハーフカット
【図２】
2006051768.tif 000003
【図１】
2006051768.tif 000004